(57)【要約】【課題】容易且つ適切に操作入力を行うことができるウェアラブル電子装置を提供する。【解決手段】情報を読取るスキャナ２と、可撓性を有し、筒状部分が形成され、スキャナ２を支持する装着体３と、スキャナ２に接続されるスキャナトリガ６と、スキャナ２の電源をＯＮ，ＯＦＦする電源ボタン７とを備えている。スキャナトリガ６は、装着体３のうち、人差し指挿入筒部３１の側面３１ａに配置されている。また、電源ボタン７は、装着体３のうち、親指挿入筒部３２の上面３２ａ側に配置されている。【選択図】図１
2020077302.tif 000002
【特許請求の範囲】
【請求項１】
所定の処理を実行する端末本体部と、
前記端末本体部への操作入力を行うための第１ボタンと、
前記端末本体部および前記第１ボタンを支持するとともに、装着者の指に装着可能な装着体と、
を備え、
前記第１ボタンは、前記装着体が装着された際に装着者の親指の周囲における爪側に位置するように当該装着体に配置されている、
ことを特徴とするウェアラブル電子装置。
【請求項２】
前記第１ボタンは、前記装着体が装着された際に装着者の親指の末節骨上における爪側に位置するように当該装着体に配置されている、
ことを特徴とする請求項１に記載のウェアラブル電子装置。
【請求項３】
前記装着体は、装着者の親指に係合するための筒状の親指係合部を有し、
前記第１ボタンは、前記親指係合部に設けられている、
ことを特徴とする請求項１または２に記載のウェアラブル電子装置。
【請求項４】
前記第１ボタンは、前記端末本体部の電源をＯＮまたはＯＦＦさせるための電源ボタンである、
ことを特徴とする請求項１から３の何れか一項に記載のウェアラブル電子装置。
【請求項５】
前記第１ボタンは、前記端末本体部が有する表示部による表示を停止または開始させるための表示制御ボタンである、
ことを特徴とする請求項１から４の何れか一項に記載のウェアラブル電子装置。
【請求項６】
前記第１ボタンは、前記装着体が装着された際に装着者の親指の基節骨上における爪側に位置するように当該装着体に配置されている、
ことを特徴とする請求項１に記載のウェアラブル電子装置。
【請求項７】
情報を読み取る光学読取部と、
前記光学読取部による読取動作を制御するための第２ボタンと、
を更に備え、
前記第２ボタンは、前記装着体が装着された際に装着者の人差し指の周囲における親指側に位置するように当該装着体に配置されている、
ことを特徴とする請求項１から６の何れか一項に記載のウェアラブル電子装置。
【請求項８】
前記第２ボタンは、前記装着体が装着された際に装着者の人差し指の基節骨上における親指側に位置するように当該装着体に配置されている、
ことを特徴とする請求項７に記載のウェアラブル電子装置。
【請求項９】
前記装着体は、装着者の人差し指に係合するための筒状の人差し指係合部を有し、
前記第２ボタンは、前記人差し指係合部に設けられている、
ことを特徴とする請求項７または８に記載のウェアラブル電子装置。
【請求項１０】
前記第２ボタンは、前記光学読取部に読取動作を開始させるためのスキャナトリガである、
ことを特徴とする請求項７から９の何れか一項に記載のウェアラブル電子装置。
【請求項１１】
情報を読み取る光学読取部と、
前記光学読取部が読み取った情報を表示する表示部と、
前記光学読取部による読取動作を制御するための第２ボタンと、
前記光学読取部と前記表示部と前記第２ボタンとを支持するとともに、装着者の前腕から指に亘って装着可能な装着体と、
を備え、
前記表示部は、前記装着体が装着された際に装着者の前腕に位置するように当該装着体に配置されており、
前記第２ボタンは、前記装着体が装着された際に装着者の人差し指の周囲における親指側に位置するように当該装着体に配置されている、
ことを特徴とするウェアラブル電子装置。
【請求項１２】
前記光学読取部は、前記装着体が装着された際に装着者の手の甲に位置するように当該装着体に配置されている、
ことを特徴とする請求項７から１１の何れか一項に記載のウェアラブル電子装置。
【発明の詳細な説明】
【技術分野】
【０００１】
本発明は、ウェアラブル電子装置に関する。
【背景技術】
【０００２】
従来、光学的に情報を読み取る読取装置として、小型化を図ったハンディスキャナ装置が知られている（例えば、特許文献１等参照）。
【先行技術文献】
【特許文献】
【０００３】
【特許文献１】特開２０１２−２３８２２４号公報
【発明の概要】
【発明が解決しようとする課題】
【０００４】
特許文献１に記載されている発明では、ハンディスキャナ装置をリストバンド等によって一方の手の手首に装着し、他方の手の指で装置に設けられた操作キーを押下して操作入力を行う。このため、例えば、他方の手が荷物等で塞がっている場合には、操作キーの押下が満足にできず、操作入力が行いにくいという問題がある。
【０００５】
そこで、本発明は、容易且つ適切に操作入力を行うことができるウェアラブル電子装置を提供することを課題とする。
【課題を解決するための手段】
【０００６】
本発明は、上記目的を達成するため、所定の処理を実行する端末本体部と、端末本体部への操作入力を行うための第１ボタンと、端末本体部および第１ボタンを支持するとともに、装着者の指に装着可能な装着体と、を備え、第１ボタンは、装着体が装着された際に装着者の親指の周囲における爪側に位置するように装着体に配置されている、ことを特徴とするウェアラブル電子装置である。
【発明の効果】
【０００７】
本発明によれば、容易且つ適切に操作入力を行うことができるウェアラブル電子装置が提供される。
【図面の簡単な説明】
【０００８】
【図１】本実施形態のウェアラブル電子装置で、全体の構成を説明する装着体の斜視図である。
【図２】本実施形態のウェアラブル電子装置で、回路の構成を説明する平面図である。
【図３】本実施形態のウェアラブル電子装置で、装着者が荷物を持つ様子を説明する斜視図である。
【図４】本実施形態のウェアラブル電子装置で、バーコードを読取る様子を説明する斜視図である。
【図５】本実施形態のウェアラブル電子装置で、スキャナトリガを操作している様子を説明する斜視図である。
【図６】本実施形態のウェアラブル電子装置で、使用時における、ユーザの視点による表示部の部分の外観図である。
【図７】本実施形態のウェアラブル電子装置で、使用時における、ユーザの視点による表示部に示された一表示例を説明する斜視図である。
【図８】本実施形態のウェアラブル電子装置で、電源ボタンを操作している様子を説明する斜視図である。
【発明を実施するための形態】
【０００９】
以降、本発明を実施するための形態を、各図を参照して詳細に説明する。
図１は、本実施形態のウェアラブル電子装置で、全体の構成を説明する装着体の斜視図である。本実施形態に係るウェアラブル電子装置１は、装着者（ユーザまたは作業者とも言う。）の腕部１０１に装着して使用される。ウェアラブル電子装置１は、情報を読取る光学読取部としてのスキャナ２と、可撓性を有し、先端に筒状部分が形成され、スキャナ２を支持する装着体３と、第１ボタンとしての電源ボタン７と、第２ボタンとしてのスキャナトリガ６とを備えている。
【００１０】
また、本実施形態のウェアラブル電子装置１は、装着体３の上に、入力キーボタン１２を有する平板状の表示部としての表示パネル１１を備えている。さらに、ウェアラブル電子装置１は、装着体３の内部に収納される端末本体部としての電子回路基板１３（図２参照）と、バッテリ１５とを備えている。電子回路基板１３は、制御部（ＣＰＵ）を内蔵している。
そして、図２に示すように、ウェアラブル電子装置１は、各配線１７〜２１を備えている。配線１７は、表示パネル１１と電子回路基板１３とを接続する。配線１８は、バッテリ１５と電子回路基板１３とを接続する。配線１９は、スキャナ２と電子回路基板１３とを接続する。配線２０は、スキャナトリガ６と電子回路基板１３とを接続する。配線２１は、電源ボタン７と電子回路基板１３とを接続する。
【００１１】
このうち、スキャナ２は、物品（貨物、製品、商品）に貼付されたラベルに印刷されたバーコードまたは、二次元コードをスキャンしてデコードする。そして、このウェアラブル電子装置１は、スキャナ２でスキャンされた二次元コードを読み取り、読み取った情報を通信部（図示せず）を介してホストコンピュータ等に送信する。
【００１２】
また、装着体３は、装着者の腕部１０１の動作を妨げないように可撓性を有している。
本実施形態の装着体３は、装着者の腕部１０１から手の指に亘って装着されて、例えば衣料に使用される布で構成されている。
しかしながら、特にこれに限らず、装着体３は、不織布、合成皮革、ゴム等のシート状部材で一部または全部が形成されていてもよい。そして、装着体３は、スキャナ２の用途に応じて、耐久性、通気性、防水性を有する等の材料が選択される。
【００１３】
このような装着体３は、装着者の腕部１０１に装着して、スキャナ２を、装着者の手の甲に位置するように配置するための部品であり、図２に示すように、装着体３は、主に装着者の手や指の一部を覆う手部１ｈと、肘側すなわち前腕を覆う前腕部１ａとを有している。
手部１ｈには、図１に示すように、人差し指１０２が挿入される部分として、先端の幅広部を筒状とした人差し指挿入筒部３１（人差し指係合部）が形成されている。また、手部１ｈには、親指１０３が挿入される部分として、先端の幅広部を筒状とした親指挿入筒部３２（親指係合部）が形成されている。
【００１４】
また、親指挿入筒部３２は、装着体３の装着時に装着者の親指１０３の爪１０３ａ部分が開放されるようなオープン形状を呈している。即ち、親指挿入筒部３２は、装着体３の装着時に装着者の親指１０３の末節骨の半分までが覆われるようなオーブン形状を呈している。
【００１５】
図２に示すように、スキャナ２は、電子回路基板１３を介して、スキャナトリガ６に接続される。スキャナトリガ６は、円形の扁平形状で、人差し指挿入筒部３１の側面３１ａに配置されている。
スキャナトリガ６が押圧されていない状態では、スキャナ２は、二次元バーコードなどを読み取らない。また、スキャナトリガ６が押圧されている状態では、スキャナ２によって、二次元バーコードなどが読み取られる。このように、スキャナトリガ６は、スキャナ２による読取動作を制御するために設けられている。
【００１６】
装着体３が装着者の手に装着される際、人差し指挿入筒部３１には、装着者の人差し指１０２が挿入される。この際、スキャナトリガ６は、図１に示すように、人差し指１０２の基節骨上（第二関節と第三関節の間）における親指１０３側の側面（側面１０２ａ）上に配置される。
【００１７】
このように、装着体３が装着された際に、装着者の人差し指１０２の基節骨上における親指１０３側にスキャナトリガ６が配置される構成により、装着体３の装着者は、親指１０３の腹を人差し指１０２の側面１０２ａに押し当てるだけの簡単な動作のみで、スキャナトリガ６を操作することが可能になる。
また、このような構成により、例えば、装着体３を装着して所定の荷物を両手の平側で支持するように運ぶ際であっても、荷物がスキャナトリガ６に干渉してしまうことがないため、誤操作を行う虞がない。
【００１８】
図２に戻り、このウェアラブル電子装置１の端末本体部の電源をＯＮ，ＯＦＦする第１ボタンとしての電源ボタン７は、円形の扁平形状で、装着体３の親指挿入筒部３２の上面３２ａ側に配置されている。
電源ボタン７は、電子回路基板１３を介して、スキャナ２に接続されていて、電源ボタン７を押圧する操作により、端末本体部のＯＮ，ＯＦＦを切替えることにより、スキャナトリガ６の操作により読取動作を行える待機状態（ＯＮ状態）と、読取動作を行えない停止状態（ＯＦＦ状態）とを選択するように構成されている。
【００１９】
装着体３が装着者の手に装着される際、親指挿入筒部３２には、装着者の親指１０３が挿入される。この際、電源ボタン７は、図１に示すように、親指１０３の末節骨上（第一関節よりも指先）における爪１０３ａ側に配置される。
【００２０】
このような構成により、装着体３の装着者は、親指１０３の第一関節と第二関節を軽く曲げ且つ人差し指１０２の第二関節と第三関節を軽く曲げるだけの簡単な動作で、人差し指１０２の腹で電源ボタン７を操作することが可能となる。
また、装着体３を装着して所定の荷物を両手の平側で支持するように運ぶ際であっても、荷物が電源ボタン７に干渉してしまうことがないため、誤操作を行う虞がない。
【００２１】
さらに、装着体３には、装着体３を腕に廻した状態で係止する面ファスナ（フック）２３ａ，２３ｂ及び面ファスナ２３とそれぞれ着脱自在な面ファスナ（ループ）２４ａ，２４ｂとがそれぞれ装着体３の表裏面に縫付けられている。
【００２２】
次に、本実施形態のウェアラブル電子装置１の装着時の作用について説明する。
図１に示すように、本実施形態のウェアラブル電子装置１では、装着者が腕部１０１に装着体３を巻付けて、面ファスナ（フック）２３ａ，２３ｂ及び面ファスナ（ループ）２４ａ，２４ｂ間を係止する。
【００２３】
この際、装着者が人差し指１０２を人差し指挿入筒部３１に挿入すると、人差し指１０２の外周面を覆うように人差し指挿入筒部３１が装着される。装着者が親指１０３を親指挿入筒部３２に挿入すると、親指１０３の外周面を覆うように親指挿入筒部３２が装着される。
これにより、装着体３の人差し指挿入筒部３１の側面３１ａに配置されているスキャナトリガ６は、図１に示すように、装着体３が装着された際には、装着者の人差し指１０２の基節骨上（第二関節と第三関節の間）における親指１０３側の側面（側面１０２ａ）上に配置される。
【００２４】
また、装着体３の親指挿入筒部３２の上面３２ａ側に配置されている電源ボタン７は、図１に示すように、装着体３が装着された際には、装着者の親指１０３の末節骨上（第一関節よりも指先）における爪１０３ａ側に配置される。そして、スキャナ２は、装着者の手の甲に位置するように配置される。
【００２５】
さらに、本実施形態のウェアラブル電子装置１は、腕部１０１に装着体３を巻付けて装着する際、人差し指挿入筒部３１および親指挿入筒部３２により、装着体３の腕部１０１廻りの位置が規定される。このため、腕部１０１を身体の前に位置させて作業を行う等の体勢を取る際には、表示パネル１１および入力キーボタン１２は、装着者の顔の方を向いて操作しやすいように腕部１０１の上面でやや内向きに配置される。
【００２６】
そして、図３に示すように、ウェアラブル電子装置１の装着者は、両手のひら側で支持するように荷物２００を運ぶ際、指の腹を荷物２００に触れて支える。
この場合でも、スキャナトリガ６および電源ボタン７は、人差し指挿入筒部３１の側面３１ａおよび親指挿入筒部３２の爪側の上面３２ａに配置されていて、人差し指挿入筒部３１および親指挿入筒部３２の指の腹に対応する部分には、設けられていない。
このため、スキャナトリガ６および電源ボタン７は、荷物２００に干渉しにくく、不用意にスキャナトリガ６および電源ボタン７が誤操作される虞がない。
さらに、表示パネル１１および入力キーボタン１２は、腕部１０１の側面に対応する位置に装着されている。このため、表示パネル１１および入力キーボタン１２は、荷物２００や他の物品に接触する虞も少ないため、作業しやすい。
【００２７】
図４は、本実施形態のウェアラブル電子装置１で、バーコード２０１を読取る様子を説明する斜視図である。ウェアラブル電子装置１は、電源ボタン７が押圧操作されて、端末本体部をＯＮ状態とすると、図６に示すように、表示パネル１１に次の動作を促す情報が表示される。ここでは、「バーコードをスキャンして下さい」という内容のメッセージが表示される。また、ここでは、パレット番号、読み取られる数量、担当者の氏名等の読取作業の補助となる補助情報が表示される。
なお、表示パネル１１に設けられた入力キーボタン１２を長押しすることにより、端末本体部をＯＮ状態とするようにしてもよい。
【００２８】
荷物２００に貼設されたバーコード２０１を読み取る際、図４に示すように、装着者は、バーコード２０１にスポット光をスキャナ２から当てている状態でも、親指１０３の腹を用いて、人差し指挿入筒部３１の側面３１ａに配置されたスキャナトリガ６を押圧することができる。この際、手の甲に配置されたスキャナ２の光軸は、ぶれ量を小さく抑えることができる。このように、ウェアラブル電子装置１は、少ない指の移動量でスキャナトリガ６を操作して、バーコード２０１などの情報を読取るか否かを切替えできる。
【００２９】
読み取りが完了すると、表示パネル１１には、図７に示すように、物品情報が所定のフォーマットで表示される。ここでは、「バーコード読取完了」という内容のメッセージが表示される。また、ここでは、読み取りコード、受け入れ番号、品名、数量が表示されて、読み取られた品物の簡易的な物品情報が表示される。
ウェアラブル電子装置１は、これらの情報を記憶部に格納し、さらにこれらの情報を図示しない通信部からホストコンピュータに情報を送信するようにしてもよい。
【００３０】
更に、図８に示すように、装着者は、親指１０３の関節を曲げた状態で、人差し指１０２を親指１０３の爪側の上面３２ａに近接させ、人差し指１０２の腹の部分を用いて、親指挿入筒部３２の上面３２ａ側に配置されている電源ボタン７を押圧する。これにより、少ない指の移動量で電源ボタン７を操作することができる。
【００３１】
次に、本実施形態のウェアラブル電子装置１の動作について、スキャナ２による読み取り作業の順序に沿って説明する。
図１に示すように、スキャナトリガ６が押圧されていない状態では、スキャナ２は、二次元バーコードなどを読み取らない。また、電源ボタン７がＯＮ操作されていない状態では、スキャナトリガ６が押圧されても読み取りは行われない。
このため、万一、スキャナトリガ６または電源ボタン７が誤操作により押圧されても、読み取りは行われない。したがって、誤動作で読み取りが開始される虞を減少させることができる。
【００３２】
読み取りを行う場合は、まず、図８に示すように、電源ボタン７が押されて、端末本体部をＯＮ状態とする。
端末本体部の電源がＯＮ状態となると、図６に示すように、表示パネル１１は、電子回路基板１３の制御部からの信号で、日付および現在時刻、バッテリ１５の電池残量、無線ＬＡＮの通信状態、ならびにメッセージの表示等を行ない、待機状態となる。
【００３３】
次に、図４に示すように、荷物２００に貼着された読取対象であるバーコード２０１にスポット光が当たるようにスキャナ２を向けて、スキャナトリガ６を押圧することにより、待機状態が解除される。これにより、スキャナトリガ６が押圧されている状態では、スキャナ２によって、二次元バーコードなどが読み取ることができる。
【００３４】
すなわち、装置本体部がＯＮ状態で、スキャナトリガ６の操作が有効な状態であると、スキャナトリガ６の押圧により信号が電子回路基板１３の制御部に入力される。
すると、制御部は、バッテリ１５からスキャナ２に電力を供給してスポット光を点灯させる。また、この際、表示パネル１１は、スキャナ２が撮像（スキャン）中であることを表示するようにしてもよい。
スキャナ２から照射されたスポット光の照射領域にバーコード等の特定の要素を有する画像２０２が存在する場合に、スキャナ２から電子回路基板１３の制御部に読み取った情報の電気信号が出力され、その後、制御部は、スキャナ２のスポット光を消灯させて、再び待機状態となる。
【００３５】
なお、装置本体部は、スキャナトリガ６が押圧されている間のみ、スキャナ２が撮像可能な状態となる構成や、スキャナトリガ６の一回の押圧操作によって、連続して撮像する状態と、待機状態とを交互に切替える構成等であってもよく、さらには、入力キーボタン１２の操作等によるモード切替えでこれらの構成の何れかを選択可能としてもよい。
【００３６】
また、読取りを行う作業中、スキャナ２は、スキャナトリガ６の押圧の際の人差し指１０２や親指１０３の移動では、動きにくい手の甲に位置している。このため、スキャナトリガ６を操作しても前後左右に手ぶれしない。
したがって、スキャナ２の読取りの精度を上げて、効率を向上させることができる。
スキャナ２で読み取られた情報は、電気信号として制御部に入力される。制御部では、スキャナ２から入力された電気信号を処理して、物品情報とする。制御部は、図７に示すように物品情報を表示パネル１１に所定のフォーマットで表示する。また、物品情報は、記憶部に格納され、あるいは図示しない通信部からホストコンピュータに、この物品情報を送信するようにしてもよい。
図８に示すように、読み取り作業が終了すると、電源ボタン７が押圧されて、電子回路基板１３に信号が送られると、制御部は、端末本体部を待機状態（ＯＮ状態）から読取動作が行えない停止状態（ＯＦＦ状態）に切替える。これにより、ウェアラブル電子装置１は動作を停止させる。
【００３７】
本実施形態の表示パネル１１に表示された補助情報や物品情報は、表示パネル１１が装着者の顔の方を向いて操作しやすい、腕部１０１の上面でやや内向きに配置されているため、読み取り易く、作業性を向上させることができる。
さらに、スキャナトリガ６は、人差し指１０２の基節骨上に位置する装着体３の人差し指挿入筒部３１の側面３１ａに配置されて、円形の扁平形状であるため、親指１０３を少し曲げるだけで押しやすい。
また、電源ボタン７は、親指１０３の末節骨上の爪１０３ａ側に位置する装着体３の親指挿入筒部３２の上面３２ａ側にそれぞれ配置されていて、円形の扁平形状であるため、人差し指１０２の第二関節と第三関節を軽く曲げるだけの簡単な動作で押しやすい。
装着体３は、布で構成されているため、容易に曲がる。このため、入力の際の操作性が損なれることがない。
さらに、装着体３は、腕部１０１に巻付けられて、面ファスナ（フック）２３ａ，２３ｂ及び面ファスナ（ループ）２４ａ，２４ｂ間が係止されることにより、装着される。このため、装着者の腕部１０１の太さに合わせて、巻付け量を調整出来、体格の相違する装着者への対応性が良好である。
【００３８】
また、スキャナトリガ６および、電源ボタン７は、高さ方向の寸法が小さい。本実施形態では、スキャナトリガ６および、電源ボタン７と共に表示パネル１１が同一の装着体３の上に配置されている。
装着者は、腕部１０１から手の指に亘って装着体３を装着すると、スキャナトリガ６が人差し指１０２の基節骨の側面に、電源ボタン７が親指１０３の末節骨上の爪１０３ａ側に、それぞれ配置される。これとともに、表示パネル１１は、腕部１０１の上面でやや内向きに配置される。この表示パネル１１も、平板状で薄く、高さ方向の寸法が小さい。
このため、荷物２００を支持して運搬する作業を行う際にも、外径寸法が大きいものや高さ方向の寸法が大きいもの、例えばリング状で指に嵌めるスキャナ装置や、手首に装着される表示装置のような他の装置と比べて、荷物２００や他の物品と、スキャナトリガ６、電源ボタン７、表示パネル１１とが干渉しにくい。
したがって、容易且つ適切に操作入力を行うことができるとともに、作業性も良好なウェアラブル電子装置１が提供される。
【００３９】
なお、本発明は、上記実施形態に限定されるものではなく、本発明の要旨を逸脱しない範囲で種々の変更や変形を行うことができる。例えば、上記実施形態は、本発明の要旨を分かり易く説明するために詳細に説明したものである。そのため、本発明は、必ずしも説明した全ての構成要素を備えるものに限定されるものではない。また、本発明は、ある構成要素に他の構成要素を追加したり、一部の構成要素を他の構成要素に変更したりすることができる。また、本発明は、一部の構成要素を削除することもできる。
【００４０】
上記実施形態では、電源ボタン７は、装着体３が装着者の手に装着される際、親指１０３の末節骨上（第一関節よりも指先）の爪１０３ａ側に配置されるよう形成されていたが、これに限定されるものではない。例えば、電源ボタン７は、親指１０３の基節骨上（第二関節よりも指先）の爪１０３ａ側に配置されるよう形成されていても、親指１０３の周囲における爪１０３ａ側に配置されていればよい。
【００４１】
また、上記実施形態では、スキャナトリガ６が人差し指挿入筒部３１の側面３１ａに配置されている。また、電源ボタン７が親指挿入筒部３２の親指１０３の爪１０３ａ側に対応する上面３２ａに配置されている。しかしながら、特にこれに限らず、スキャナトリガ６と、電源ボタン７とが反対の位置に配置されていてもよく、また、何れか一方のみ設けられていてもよい。
【００４２】
さらに、スキャナトリガ６を人差し指挿入筒部３１の側面３１ａに配置している。しかしながら、特にこれに限らず、例えば、中指１０４〜小指１０６の親指側の側面に対応する装着体３の上に配置されていてもよい。さらに、側面のうち、第一関節と第二関節の間に対応する部分にスキャナトリガ６が配置されると、なお、押しやすい。
そして、スキャナトリガ６および電源ボタン７が設けられる箇所は、指に対応する筒状部分の側面または上面であればよく、また、装着体３の表側に限らず、複数の布の間や裏側に設けられていてもよい。すなわち、ボタンの形状、数量および材質については、特に上記実施形態に限定されるものではない。
【００４３】
また、上記実施形態では、電源ボタン７は、ウェアラブル電子装置１の端末本体部の電源をＯＮ，ＯＦＦする機能を有するボタンであるとして説明したが、これに限定されない。例えば、表示パネル１１の表示を停止、始動させる機能を有するボタンであってもよい。そして、電源ボタン７は、表示パネル１１による表示を停止または開始させるための表示制御ボタンとして機能するように構成されていてもよい。さらに、電源ボタン７は、端末本体部の電源をＯＮ，ＯＦＦする機能と、表示パネル１１による表示を停止または開始させるための表示制御ボタンとしての機能とを兼ねてもよい。この場合、電源ボタン７の長押し（例えば、２秒以上）で、電源のＯＮ状態とＯＦＦ状態とを切替え、電源ボタン７の短押し（例えば、２秒未満）で、表示パネル１１の表示の停止と開始とを切替えるようにしてもよい。即ち、どのような機能を有するボタンとするかは任意に設定できるものである。
【００４４】
以下に、この出願の願書に最初に添付した特許請求の範囲に記載した発明を付記する。付記に記載した請求項の項番は、この出願の願書に最初に添付した特許請求の範囲の通りである。
〔付記〕
《請求項１》
所定の処理を実行する端末本体部と、
前記端末本体部への操作入力を行うための第１ボタンと、
前記端末本体部および前記第１ボタンを支持するとともに、装着者の指に装着可能な装着体と、
を備え、
前記第１ボタンは、前記装着体が装着された際に装着者の親指の周囲における爪側に位置するように当該装着体に配置されている、
ことを特徴とするウェアラブル電子装置。
《請求項２》
前記第１ボタンは、前記装着体が装着された際に装着者の親指の末節骨上における爪側に位置するように当該装着体に配置されている、
ことを特徴とする請求項１に記載のウェアラブル電子装置。
《請求項３》
前記装着体は、装着者の親指に係合するための筒状の親指係合部を有し、
前記第１ボタンは、前記親指係合部に設けられている、
ことを特徴とする請求項１または２に記載のウェアラブル電子装置。
《請求項４》
前記第１ボタンは、前記端末本体部の電源をＯＮまたはＯＦＦさせるための電源ボタンである、
ことを特徴とする請求項１から３の何れか一項に記載のウェアラブル電子装置。
《請求項５》
前記第１ボタンは、前記端末本体部が有する表示部による表示を停止または開始させるための表示制御ボタンである、
ことを特徴とする請求項１から４の何れか一項に記載のウェアラブル電子装置。
《請求項６》
前記第１ボタンは、前記装着体が装着された際に装着者の親指の基節骨上における爪側に位置するように当該装着体に配置されている、
ことを特徴とする請求項１に記載のウェアラブル電子装置。
《請求項７》
情報を読み取る光学読取部と、
前記光学読取部による読取動作を制御するための第２ボタンと、
を更に備え、
前記第２ボタンは、前記装着体が装着された際に装着者の人差し指の周囲における親指側に位置するように当該装着体に配置されている、
ことを特徴とする請求項１から６の何れか一項に記載のウェアラブル電子装置。
《請求項８》
前記第２ボタンは、前記装着体が装着された際に装着者の人差し指の基節骨上における親指側に位置するように当該装着体に配置されている、
ことを特徴とする請求項７に記載のウェアラブル電子装置。
《請求項９》
前記装着体は、装着者の人差し指に係合するための筒状の人差し指係合部を有し、
前記第２ボタンは、前記人差し指係合部に設けられている、
ことを特徴とする請求項７または８に記載のウェアラブル電子装置。
《請求項１０》
前記第２ボタンは、前記光学読取部に読取動作を開始させるためのスキャナトリガである、
ことを特徴とする請求項７から９の何れか一項に記載のウェアラブル電子装置。
《請求項１１》
情報を読み取る光学読取部と、
前記光学読取部が読み取った情報を表示する表示部と、
前記光学読取部による読取動作を制御するための第２ボタンと、
前記光学読取部と前記表示部と前記第２ボタンとを支持するとともに、装着者の前腕から指に亘って装着可能な装着体と、
を備え、
前記表示部は、前記装着体が装着された際に装着者の前腕に位置するように当該装着体に配置されており、
前記第２ボタンは、前記装着体が装着された際に装着者の人差し指の周囲における親指側に位置するように当該装着体に配置されている、
ことを特徴とするウェアラブル電子装置。
《請求項１２》
前記光学読取部は、前記装着体が装着された際に装着者の手の甲に位置するように当該装着体に配置されている、
ことを特徴とする請求項７から１１の何れか一項に記載のウェアラブル電子装置。
【符号の説明】
【００４５】
１      ウェアラブル電子装置
２      スキャナ
３      装着体
６      スキャナトリガ（第２ボタン）
７      電源ボタン（第１ボタン）
１１    表示パネル（表示部）
１３    電子回路基板（端末本体部）
３１    人差し指挿入筒部（人差し指係合部）
３１ａ  側面
３２    親指挿入筒部（親指係合部）
３２ａ  上面
【図１】
2020077302.tif 000003
【図２】
2020077302.tif 000004
【図３】
2020077302.tif 000005
【図４】
2020077302.tif 000006
【図５】
2020077302.tif 000007
【図６】
2020077302.tif 000008
【図７】
2020077302.tif 000009
【図８】
2020077302.tif 000010